(57)【要約】      （修正有）【課題】ヘッドのバランスを実質的に崩さず、簡便な手法によってゴルフクラブヘッドに装着できる静音用の金属製シート、及びこれとゴルフクラブとの組み合わせを提供する。【解決手段】中空タイプのヘッド１２を有するゴルフクラブと、０．１ｇ／ｃｍ２以下の質量密度であり、厚さが０．０３ｍｍ〜０．５ｍｍの金属製シートであって、長さが１０ｃｍ未満の基部領域Ｚ１を有し、前記長さの方向ラインに対する該基部領域の一側に、少なくとも２箇所の凸部領域Ｔ１．Ｔ２を前記長さの方向に離隔させて設けている金属製シート２０とを具備する金属製シートとゴルフクラブとの組み合わせを提供する。【選択図】図２
2009285167.tif 000002
【特許請求の範囲】
【請求項１】
中空タイプのヘッドを有するゴルフクラブと、
０．１ｇ／ｃｍ２以下の質量密度であり、厚さが０．０３ｍｍ〜０．５ｍｍの金属製シートであって、長さが１０ｃｍ未満の基部領域を有し、前記長さの方向ラインに対する該基部領域の一側に、少なくとも２箇所の凸部領域を前記長さの方向に離隔させて設けている金属製シートと
を具備する金属製シートとゴルフクラブとの組み合わせ。
【請求項２】
０．１ｇ／ｃｍ２以下の質量密度であり、厚さが０．０３ｍｍ〜０．５ｍｍの金属製シートであって、長さが１０ｃｍ未満の基部領域を有し、前記長さの方向ラインに対する該基部領域の一側に、少なくとも２箇所の凸部領域を前記長さの方向に離隔させて設けていることを特徴とする金属製シート。
【発明の詳細な説明】
【技術分野】
【０００１】
本発明は、中空タイプのヘッドに貼着して打球音を静音化させる金属製シート及びこれとゴルフクラブとの組み合わせに関する。
【背景技術】
【０００２】
中空タイプのゴルフクラブヘッドでゴルフボールを打撃した際には、打撃時の振動によって打撃音が発生する。この音も良し悪しである。中空タイプのゴルフクラブヘッドに粘弾性体を装着させて、打撃時のヘッド振動を低減させることが下記特許文献に開示されている。
【特許文献１】特開２００７−１５１８２９号公報
【発明の開示】
【発明が解決しようとする課題】
【０００３】
然しながら、上記粘弾性体装着では、ゴルフクラブヘッドのソール部にネジ部材等を使用した機械的な構造によって装着しており、製造が複雑になると共に、コストアップに繋がる。また、機械的な装着構造であるため、ゴルフクラブヘッドの重量バランスや慣性モーメントバランス等のバランスに関して、この機械的装着構造と粘弾性体の重量を考慮する必要がある。従って、粘弾性体を後付けする場合は重量等の既存バランスが狂う。
よって本発明が解決しようとする課題は、上述のバランスを実質的に崩さず、簡便な手法によってゴルフクラブヘッドに装着できる静音用の金属製シート、及びこれとゴルフクラブとの組み合わせを提供することである。
【課題を解決するための手段】
【０００４】
第１の発明は、中空タイプのヘッドを有するゴルフクラブと、０．１ｇ／ｃｍ２以下の質量密度であり、厚さが０．０３ｍｍ〜０．５ｍｍの金属製シートであって、長さが１０ｃｍ未満の基部領域を有し、前記長さの方向ラインに対する該基部領域の一側に、少なくとも２箇所の凸部領域を前記長さの方向に離隔させて設けている金属製シートとを具備する金属製シートとゴルフクラブとの組み合わせを提供する。
【０００５】
第２の発明では、０．１ｇ／ｃｍ２以下の質量密度であり、厚さが０．０３ｍｍ〜０．５ｍｍの金属製シートであって、長さが１０ｃｍ未満の基部領域を有し、前記長さの方向ラインに対する該基部領域の一側に、少なくとも２箇所の凸部領域を前記長さの方向に離隔させて設けていることを特徴とする金属製シートを提供する。
【発明の効果】
【０００６】
第１の発明では、金属製シートは厚さが０．０３〜０．５ｍｍであるため、接着剤によって曲面状のゴルフクラブヘッドの表面に貼着可能であり、基部領域の長さ方向ラインに対する該基部領域の一側に、少なくとも２箇所の凸部領域を前記長さ方向に離隔させて設けているので、ゴルフクラブヘッド表面への貼着時には、まず基部領域を貼り付け、その後、基部領域から各凸部領域先端方向に向かって指で当該シートを押圧しつつ貼着すれば、皺がより難くて貼着できる。また、貼着後には、薄肉厚であるため、ソール部に貼着しても剥がれ難く、打撃した時のゴルフクラブヘッドの振動を抑えて静音化に寄与する。更には、０．１ｇ／ｃｍ２以下の質量密度であるため、ゴルフクラブヘッドの既述のバランスを実質的に崩す虞が無いと言える。必要な場合は、当該シートを貼り重ねることも可能である。厚さが０．３ｍｍ未満では静音効果が小さ過ぎ、０．５ｍｍを越えれば重量が大きくなり過ぎる他、貼着時に皺になり易い。
より好ましい厚さは０．０５〜０．２ｍｍである。アルミニウムで形成すると振動減衰性が良くて好ましい。貼着に使用する接着剤としては、振動を効果的に減衰できるアクリル系接着剤等があり、例えば、０．０４ｍｍの厚さの接着剤層とする。
【０００７】
第２の発明は、第１の発明の作用効果を生じさせる金属製シートとなる。
【発明を実施するための最良の形態】
【０００８】
以下、本発明を添付図面を用いて更に詳細に説明する。図１は本発明に係る金属製シートをゴルフクラブヘッドに貼着したゴルフクラブのアドレス状態での正面図であり、図２は図１のＢ方向から見た底面図である。図３は図２に使用している金属製シートを図示した平面図であり、図４は図３の矢視線Ｄ−Ｄによる断面図である。ゴルフクラブ１０のシャフト１４の先部にヘッド１２を装着しており、このヘッドは中空タイプのヘッドである。この中空タイプのヘッド１２は、ステンレスやチタン合金やアルミニウム等を主体とする金属製である。その他、ヘッドの一部分、例えば、クラウン部を繊維強化樹脂製プレート部品を使って構成したヘッドもある。
【０００９】
こうした中空タイプのヘッドを有するゴルフクラブとしては、ドライバー、フェアウェイ、ユーティリティーの各ゴルフクラブがある。こうした中空タイプのヘッド１２は、ボールを打撃するフェース部１２Ｆ、既述のクラウン部、ソール部１２Ｓ、バック部１２Ｂ、トウ部１２Ｔ、ヒール部１２Ｈを有している。このヘッドに本発明に係る金属製シート２０を貼着してボール打撃時の打撃音を低減させるべく、この例では、金属製シート２０をヘッドのソール部１２Ｓに貼着しているが、ソール部に代えて、或いはソール部と共に、クラウン部やバック部１２Ｂ等に貼着することもできる。
【００１０】
この金属製シート２０の平面視形状は、長さＬが１０ｃｍ未満の基部領域Ｚ１を有し、この長さＬの方向（図２、図３では左右方向）ラインに対して該基部領域の一側（図２、図３では下側）に、２つの凸部領域Ｔ１，Ｔ２が前記長さＬの方向に離隔して形成されている。この２つの凸部領域間のシート外郭Ｋ１２は基部領域の方向に窪んだ窪み形状を成している。また、基部領域Ｚ１における上記両凸部領域から遠い側（図２、図３では上側）のシート外郭ＺＬは、これら凸部領域から遠ざかる方向（図２、図３では上側方向）であるシートの外方向に緩やかに膨出した形状を成している。
【００１１】
図２の貼着状態でいえば、基部領域の前述の膨出形状外郭ＺＬはフェース部１２Ｆ側であり、前述の窪み形状外郭Ｋ１２はバック部１２Ｂ側である。
更には、基部領域Ｚ１と一方の凸部領域Ｔ１との間のシート外郭ＺＴ１と、基部領域Ｚ１と他方の凸部領域Ｔ２との間のシート外郭ＺＴ２とは、夫々、金属製シート２０の領域内に向かって、即ち、図２や図３において外郭ＺＴ１は右方向に、外郭ＺＴ２は左方向に窪んだ窪み形状を成している。このため、各凸部領域Ｔ１，Ｔ２は基部領域Ｚ１の長さＬの方向に対して傾斜方向に突出指向している。
【００１２】
この実施例におけるヘッドのソール部１２Ｓは、そのトウ部１２Ｔ寄りの領域と、ヒール部１２Ｈ寄りの領域とに、夫々、ヘッド内方に向かって窪んだ領域ＳＫ１，ＳＫ２を有しており、前記金属製シート２０は、その前記窪み形状の外郭ＺＴ１，ＺＴ２が、夫々、前記領域ＳＫ１，ＳＫ２に対向する位置に貼着されている。また、図２で言って、この金属製シート全体はソール部の、フェース部寄りである前半領域に貼着されている。
【００１３】
金属製シート２０を形成する金属は、その比重が８以下であって２以上、好ましくは２〜５がよい。具体的には、アルミニウム、チタン、マグネシウム、ステンレス等の実質純粋成分金属又は、アルミニウム合金等のこれら金属の合金である。特にアルミニウムシートは、振動減衰性が高いので打撃ヘッドの減衰を効果的にさせる。貼着するヘッド部位の金属との関係では、金属製シートは、貼着するヘッド部位の金属に対して振動減衰性の高いものが好ましく、また、軽比重のものが好ましい。また、シート（箔）を０．１ｇ／ｃｍ２以下に形成する。シートの厚さｔ１は０．０３〜０．５ｍｍにする。好ましくは、０．０５〜０．２ｍｍである。前記金属では、この程度の厚さでは貼着作業が容易であると共に、ヘッドの重量バランスや慣性モーメントバランスを実質的に崩さないといえる。ソール部の表面に貼着した場合、厚さが薄いのでシート輪郭境界での段差が小さく、ダフリの際にも剥がれ難い。
【００１４】
実際に貼着作業を行うには接着剤（粘着剤）を使用する。例えば、アクリル系接着剤の完全に硬化しない粘着タイプを使用すると接着力が強いと共に効果的に振動を減衰できる。金属製シート２０の裏面に接着剤を塗布してヘッドに貼着させるが、通常、予め金属製シートの裏面に接着剤を塗布したものを準備しておく。接着剤の層厚ｔ２は、例えば、０．０４ｍｍである。金属製シート裏面に予め接着剤を塗布したものを準備する場合は、この予め塗布した接着剤の露出面を、剥離剤を塗布した基材シート１４で覆っておく。
【００１５】
貼着を希望するゴルファーが、前記基材シート上に保持されている金属製シート２０と接着剤層２２との組体を剥ぎ取り、まず、その基部領域Ｚ１をヘッドの所望部位、例えば、ソール部前方領域に貼り、そこを基部として、金属製シートの上から指で各凸部領域の突出方向Ｄ１又はＤ２に空気を押し出すようにしつつ貼着すれば、皺の発生が少なく貼着でき、ヘッドの減衰性がよいと共にヘッドから剥がれ難く、耐久性が向上する。
【００１６】
上記形態例では、凸部領域を２箇所設けており、その凸部領域間に窪み形状外郭Ｋ１２が存在する。その他に２箇所の窪み形状外郭ＺＴ１，ＺＴ２が存在するが、これらの窪み形状外郭ＺＴ１，ＺＴ２は無くてもよい。また、ヘッドへの貼着は、ソール部に限らない。
【産業上の利用可能性】
【００１７】
本発明は、中空タイプのヘッドに貼着して打球音を静音化させる金属製シートとして利用できる。
【図面の簡単な説明】
【００１８】
【図１】図１は本発明に係る金属製シートをゴルフクラブヘッドに貼着したゴルフクラブ正面図である。
【図２】図２は図１のＢ方向から見た底面図である。
【図３】図３は図２に使用している金属製シートの平面図である。
【図４】図４は図３の矢視線Ｄ−Ｄによる断面図である。
【符号の説明】
【００１９】
１２                      ゴルフクラブヘッド
２０                      金属製シート
Ｔ１，Ｔ２                凸部領域
Ｚ１                      基部領域
【図１】
2009285167.tif 000003
【図２】
2009285167.tif 000004
【図３】
2009285167.tif 000005
【図４】
2009285167.tif 000006